(57)【要約】【目的】所望のダイナミック・レンジを設定する。【構成】被写体を撮像して，レベルの高い高感度画像データｈｉｇｈとレベルの低い低感度画像データｌｏｗとが得られる。高感度画像データｈｉｇｈと低感度画像データｌｏｗとをダイナミック・レンジ調整ボリュウムの調整位置に応じて加算して合成画像データが得られる。得られた合成画像データが飽和しないように抑圧され，合成画像データｄａｔａが得られる。ボリュウムの調整位置に応じてダイナミック・レンジが変更でき，所望のダイナミック・レンジをもつ合成画像データが得られる。【選択図】  図６
2004221928.tif 000002
【特許請求の範囲】
【請求項１】
ダイナミック・レンジを設定するダイナミック・レンジ設定手段，
上記ダイナミック・レンジ設定手段による設定に応じて，与えられる高感度画像データのレベルを調整する第１の調整手段，
上記ダイナミック・レンジ設定手段による設定に応じて，与えられる低感度画像データのレベルを調整する第２の調整手段，および
上記第１の調整手段によってレベルが調整された高感度画像データと上記第２の調整手段によってレベルが調整された低感度画像データとを合成して合成画像データを出力する画像データ合成手段，
を備えた画像データ合成装置。
【請求項２】
被写体を撮像し，被写体像を表す上記高感度画像データと上記低感度画像データとを出力する固体電子撮像装置をさらに備え，
上記第１の調整手段が，上記固体電子撮像装置から出力された上記高感度画像データを与えられるものであり，
上記第２の調整手段が上記固体電子撮像装置から出力された上記低感度画像データを与えられるものである，
請求項１に記載の画像データ合成装置。
【請求項３】
上記画像データ合成手段から出力される合成画像データによって表される画像を表示画面上に表示するように表示装置を制御する第１の表示制御手段，
記録指令を与える記録指令スイッチ，および
上記記録指令スイッチから記録指令が与えられたことに応答して，上記第１の表示制御手段の制御にもとづいて表示画面上に表示される画像を表す合成画像データを記録媒体に記録する記録制御手段，
をさらに備えた請求項１に記載の画像データ合成装置。
【請求項４】
上記ダイナミック・レンジ設定手段が，ユーザによってダイナミック・レンジが設定される設定器である，請求項１に記載の画像データ合成装置。
【請求項５】
上記ダイナミック・レンジ設定手段は，与えられる高感度画像データおよび与えられる低感度画像データの少なくとも一方にもとづいて，ダイナミック・レンジを設定するものである，請求項１に記載の画像データ合成装置。
【請求項６】
上記ダイナミック・レンジ設定手段は，
与えられる低感度画像データによって表される低感度画像を複数の領域に分割する分割手段，および
上記分割手段によって分割された複数の領域内の画像を表す低感度画像データをそれぞれ積算し，複数の積算値を算出する算出手段を備え，
上記算出手段によって算出された複数の積算値にもとづいてダイナミック・レンジを設定するものである，
請求項１に記載の画像データ合成装置。
【請求項７】
上記画像データ合成手段から出力される合成画像データによって表される画像を表示画面上に表示するように表示装置を制御する第２の表示制御手段，および
上記第２の表示制御手段の制御のもとに上記表示画面に表示された画像のうち，上記算出手段によって算出された複数の積算値の最大値をもつ領域近傍の画像を拡大する画像拡大手段，
をさらに備えた請求項６に記載の画像データ合成装置。
【請求項８】
記録指令を与える記録指令スイッチ，および
上記記録指令スイッチから記録指令が与えられたことに応答して，上記第２の表示制御手段の制御にもとづいて表示画面に表示される画像を表す合成画像データを記録媒体に記録する記録制御手段，
をさらに備えた請求項７に記載の画像データ合成装置。
【請求項９】
上記ダイナミック・レンジ設定手段によって設定されたダイナミック・レンジにもとづいて，上記画像データ合成手段から出力された合成画像データによって表される画像の色を補正する色補正手段をさらに備えた請求項１に記載の画像データ合成装置。
【請求項１０】
上記高感度画像データおよび上記低感度画像データが記録されている記録媒体から上記高感度画像データおよび上記低感度画像データを読み取る読み取り手段をさらに備え，
上記読み取り手段から読み取られた高感度画像データを上記第１の調整手段に与え，上記読み取り手段によって読み取られた上記低感度画像データを上記第２の調整手段に与えるものである，
請求項１に記載の画像データ合成装置。
【請求項１１】
上記低感度画像データによって表される低感度画像を分割することにより得られる複数の領域内のそれぞれの画像を表す低感度画像データの積算値のうちの最大値の位置を示すデータが上記記録媒体に記録されており，
上記読み取り手段は，上記位置データも読み取るものであり，
上記画像データ合成手段から出力される合成画像データによって表される合成画像を表示画面上に表示するように表示装置を制御する第３の表示制御手段，および
上記第３の表示制御手段の制御のもとに表示された合成画像のうち，上記読み取り手段によって読み取られた位置データによって表される位置近傍を拡大して表示するように上記表示装置を制御する第４の表示制御手段，
をさらに備えた請求項１０に記載の画像データ合成装置。
【請求項１２】
上記ダイナミック・レンジ設定手段が，
設定可能なダイナミック・レンジの範囲およびその範囲中の所望の位置を指定するスライダを表示するように上記表示装置を制御する第５の表示制御手段，および
上記スライダの位置を指定する指定手段を備え，
上記指定手段によって指定されるスライダの位置にもとづいて上記ダイナミック・レンジを設定するものである，
請求項１に記載の画像データ合成装置。
【請求項１３】
上記ダイナミック・レンジの範囲の上限が，上記ダイナミック・レンジ設定手段によって設定可能なダイナミック・レンジの最大値である，請求項１２に記載の画像データ合成装置。
【請求項１４】
上記ダイナミック・レンジ設定手段が，ダイナミック・レンジを設定するダイナミック・レンジ設定パラメータを入力する入力手段，
上記入力手段から入力されたパラメータによって設定されるダイナミック・レンジが設定可能な範囲外かどうかを判定する判定手段，および
上記判定手段により設定可能な範囲外と判定されたことに応答して警告する警告手段，
をさらに備えた請求項１に記載の画像データ合成装置。
【請求項１５】
上記ダイナミック・レンジ設定手段によって設定されたダイナミック・レンジに応じたガンマ補正係数を決定するガンマ補正係数決定手段，ならびに
上記第１の調整手段によってレベルが調整された高感度画像データおよび上記第２の調整手段によってレベルが調整された低感度画像データとの少なくとも一方を，上記ガンマ補正係数決定手段によって決定されたガンマ補正係数にもとづいてガンマ補正するガンマ補正手段をさらに備え，
上記画像データ合成手段は，
上記ガンマ補正手段によってガンマ補正された画像データを用いて合成画像データを生成するものである，
請求項１に記載の画像データ合成装置。
【請求項１６】
ダイナミック・レンジを設定し，
設定されたダイナミック・レンジに応じて，与えられる高感度画像データおよび与えられる低感度画像データのレベルを調整し，
レベルが調整された高感度画像データとレベルが調整された低感度画像データとを合成して合成画像データを出力する，
画像データ合成方法。
【請求項１７】
ダイナミック・レンジを設定させ，
設定されたダイナミック・レンジに応じて，与えられる高感度画像データおよび与えられる低感度画像データのレベルを調整させ，
レベルが調整された高感度画像データとレベルが調整された低感度画像データとを合成して合成画像データを出力させるように画像合成装置のコンピュータを制御するプログラム。
【請求項１８】
請求項１７に記載の上記プログラムを格納した記録媒体。
【発明の詳細な説明】
【０００１】
【技術分野】
この発明は，画像データ合成装置および方法ならびに画像データ合成プログラムに関する。
【０００２】
【発明の背景】
ディジタル・スチル・カメラの撮像素子に利用されるＣＣＤは，一般的にダイナミック・レンジが狭い。ダイナミック・レンジを広げるために，異なる露光条件で２回撮像し，得られた２種類の映像信号同士を加算するものがある（例えば，特許文献１）。
【０００３】
【特許文献１】
特願平１１−２７１２３９号公報
【０００４】
このような方法によりダイナミック・レンジを広げる場合には，ダイナミック・レンジは固定とされる。ダイナミック・レンジを変更することはできないことが多い。
【０００５】
【発明の開示】
この発明は，ダイナミック・レンジを変更できるようにすることを目的とする。
【０００６】
この発明による画像データ合成装置は，ダイナミック・レンジを設定するダイナミック・レンジ設定手段（レベル調整された低感度画像データと合成された場合に，非飽和状態となるように），上記ダイナミック・レンジ設定手段による設定に応じて，与えられる高感度画像データのレベルを調整する第１の調整手段（）上記第１の調整手段によってレベル調整された高感度画像データと合成された場合に非飽和状態となるように），上記ダイナミック・レンジ設定手段による設定に応じて，与えられる低感度画像データのレベルを調整する第２の調整手段，および上記第１の調整手段によってレベルが調整された高感度画像データと上記第２の調整手段によってレベルが調整された低感度画像データとを合成して合成画像データを出力する画像データ合成手段を備えていることを特徴とする。
【０００７】
この発明は，上記画像データ合成装置に適した方法も提供している。すなわち，この方法は，ダイナミック・レンジを設定し（レベル調整された低感度画像データと合成された場合に，非飽和状態となるように），設定されたダイナミック・レンジに応じて，与えられる高感度画像データのレベルを調整し（レベル調整された高感度画像データと合成された場合に非飽和状態となるように），設定されたダイナミック・レンジに応じて，与えられる低感度画像データのレベルを調整し，レベルが調整された高感度画像データとレベルが調整された低感度画像データとを合成して合成画像データを出力するものである。
【０００８】
また，この発明は，画像データ合成のプログラムおよびそのプログラムを格納した記録媒体も提供している。
【０００９】
この発明によると，ダイナミック・レンジが設定される。ダイナミック・レンジは，ボリュウム，スイッチ，ボタンなどの設定器によりユーザが手動で設定可能なものでもよいし，高感度画像データ，低感度画像データにもとづいて自動設定するものでもよい。
【００１０】
高感度画像データと低感度画像データとが与えられる。高感度画像データは，レベル調整された低感度画像データと合成された場合に，非飽和状態となるように，設定されたダイナミック・レンジに応じてそのレベルが調整される。同様に，低感度画像データは，レベル調整された高感度画像データと合成された場合に，非飽和状態となるように，設定されたダイナミック・レンジに応じてそのレベルが調整される。レベル調整された高感度画像データとレベル調整された低感度画像データとが合成されて，合成画像を表す合成画像データが得られる。
【００１１】
設定されたダイナミック・レンジに応じた合成画像データが得られるようになる。高感度画像データと低感度画像データとは互いに合成された場合に，非飽和状態となるようにレベル調整されるので，合成画像データが飽和してしまうことを未然に防止できる。
【００１２】
被写体を撮像し，被写体像を表す上記高感度画像データと上記低感度画像データとを出力する固体電子撮像装置をさらに備えるようにしてもよい。この場合，上記第１の調整手段は，上記固体電子撮像装置から出力された上記高感度画像データを与えられ，上記第２の調整手段は上記固体電子撮像装置から出力された上記低感度画像データを与えられるものとなろう。
【００１３】
上記画像データ合成手段から出力される合成画像データによって表される画像を表示画面上に表示するように表示装置を制御する第１の表示制御手段，記録指令を与える記録指令スイッチ，および上記記録指令スイッチから記録指令が与えられたことに応答して，上記第１の表示制御手段の制御にもとづいて表示画面上に表示される画像を表す合成画像データを記録媒体に記録する記録制御手段をさらに備えるようにしてもよい。
【００１４】
ダイナミック・レンジが調整された合成画像が表示装置の表示画面上に表示されるので，その表示された合成画像を確認した後に，合成画像データを記録媒体に記録することができる。
【００１５】
上述したように，上記ダイナミック・レンジ設定手段は，ユーザによってダイナミック・レンジが設定される設定器であってもよいし，上記ダイナミック・レンジ設定手段は，与えられる高感度画像データおよび与えられる低感度画像データの少なくとも一方にもとづいて，ダイナミック・レンジを設定するものでもよい。
【００１６】
上記ダイナミック・レンジ設定手段は，例えば，与えられる低感度画像データによって表される低感度画像を複数の領域に分割する分割手段，および上記分割手段によって分割された複数の領域内の画像を表す低感度画像データをそれぞれ積算し，複数の積算値を算出する算出手段を備える。この場合，上記算出手段によって算出された複数の積算値にもとづいてダイナミック・レンジを設定するものとなろう。
【００１７】
得られた画像が飽和しないようにダイナミック・レンジを設定できる。
【００１８】
また，上記画像データ合成手段から出力される合成画像データによって表される画像を表示画面上に表示するように表示装置を制御する第２の表示制御手段，および上記第２の表示制御手段の制御のもとに上記表示画面に表示された画像のうち，上記算出手段によって算出された複数の積算値の最大値をもつ領域近傍の画像を拡大する画像拡大手段をさらに備えるようにしてもよい。
【００１９】
画像が拡大されているので，画像が飽和してしまっているかどうかを確認できる。
【００２０】
好ましくは，記録指令を与える記録指令スイッチ，および上記記録指令スイッチから記録指令が与えられたことに応答して，上記第２の表示制御手段の制御にもとづいて表示画面に表示される画像を表す合成画像データを記録媒体に記録する記録制御手段をさらに備える。
【００２１】
表示画面に表示された合成画像を確認したあとに，その合成画像を表す合成画像データを記録媒体に記録することができるようになる。
【００２２】
上記ダイナミック・レンジ設定手段によって設定されたダイナミック・レンジにもとづいて，上記画像データ合成手段から出力された合成画像データによって表される画像の色（彩度）を補正する色（彩度）補正手段をさらに備えるようにしてもよい。
【００２３】
ダイナミック・レンジに応じて比較的適切に色（彩度）補正を行うことができるようになる。
【００２４】
上記高感度画像データおよび上記低感度画像データが記録されている記録媒体から上記高感度画像データおよび上記低感度画像データを読み取る読み取り手段をさらに備えるようにしてもよい。この場合，上記読み取り手段から読み取られた高感度画像データを上記第１の調整手段に与え，上記読み取り手段によって読み取られた上記低感度画像データを上記第２の調整手段に与えるものとなろう。
【００２５】
記録媒体に記録されている高感度画像データおよび低感度画像データを読み取り，上述したようにダイナミック・レンジを設定して合成画像データを生成することができる。
【００２６】
上記低感度画像データによって表される低感度画像を分割することにより得られる複数の領域内のそれぞれの画像を表す低感度画像データの積算値のうちの最大値の位置を示すデータが上記記録媒体に記録されていてもよい。この場合，上記読み取り手段は，上記位置データも読み取るものとなろう。
【００２７】
そして，上記画像データ合成手段から出力される合成画像データによって表される合成画像を表示画面上に表示するように表示装置を制御する第３の表示制御手段，および上記第３の表示制御手段の制御のもとに表示された合成画像のうち，上記読み取り手段によって読み取られた位置データによって表される位置近傍を拡大して表示するように上記表示装置を制御する第４の表示制御手段をさらに備えることとなろう。
【００２８】
最大値に合わせたダイナミック・レンジを設定しているので，飽和しない合成画像を得ることができる。
【００２９】
上記ダイナミック・レンジ設定手段は，設定可能なダイナミック・レンジの範囲およびその範囲中の所望の位置を指定するスライダを表示するように上記表示装置を制御する第５の表示制御手段，および上記スライダの位置を指定する指定手段を備えるものでもよい。この場合，上記指定手段によって指定されるスライダの位置にもとづいて上記ダイナミック・レンジを設定するものとなろう。
【００３０】
上記ダイナミック・レンジの範囲の上限が，上記ダイナミック・レンジ設定手段によって設定可能なダイナミック・レンジの最大値であることが好ましい。設定できない位置を指定することを未然に防止できるからである。
【００３１】
上記ダイナミック・レンジ設定手段が，ダイナミック・レンジを設定するダイナミック・レンジ設定パラメータを入力する入力手段，上記入力手段から入力されたパラメータによって設定されるダイナミック・レンジが設定可能な範囲外かどうかを判定する判定手段，および上記判定手段により設定可能な範囲外と判定されたことに応答して警告する警告手段をさらに備えるようにしてもよい。
【００３２】
上記ダイナミック・レンジ設定手段によって設定されたダイナミック・レンジに応じたガンマ補正係数を決定するガンマ補正係数決定手段，ならびに上記第１の調整手段によってレベルが調整された高感度画像データおよび上記第２の調整手段によってレベルが調整された低感度画像データとの少なくとも一方を，上記ガンマ補正係数決定手段によって決定されたガンマ補正係数にもとづいてガンマ補正するガンマ補正手段をさらに備えるようにしてもよい。この場合，上記画像データ合成手段は，上記ガンマ補正手段によってガンマ補正された画像データを用いて合成画像データを生成するものとなう。
【００３３】
【実施例の説明】
図１は，この発明の実施例によるディジタル・スチル・カメラに用いられるＣＣＤ５を模式的に示している。
【００３４】
ＣＣＤ５には，水平方向および垂直方向に多数のフォトダイオード２０が配列されている。フォトダイオード２０は，奇数列は奇数行に配置され，偶数列は偶数行に配置されている。偶数列は奇数行に配置し，奇数列は偶数行に配置するようにしてもよい。
【００３５】
フォトダイオード２０は，その受光領域が２つに分けられている。一方の受光領域２１を主受光領域，他方の受光領域２２を副受光領域ということにする。主受光領域２１に蓄積された信号電荷と副受光領域２２に蓄積された信号電荷とは混ざらないようにフォトダイオード２０が形成されている。主受光領域２１の受光面積と副受光領域２２の受光面積との比率は，４対１に規定されている。もっとも，その他の比率でもよいのはいうまでもない。
【００３６】
フォトダイオード２０の右側には，フォトダイオード２０に蓄積された信号電荷を垂直方向に転送する垂直転送路２３が設けられている。フォトダイオード２０に蓄積された信号電荷のうち，主受光領域２１に蓄積された信号電荷（主信号電荷という）がフォトダイオード２０から垂直転送路２２にシフトされる。主信号電荷は，水平転送路２４に与えられ，水平方向に転送させられる。主信号電荷は，増幅回路２５において増幅され，一駒分の画像を表す高感度映像信号としてＣＣＤ５から出力される。
【００３７】
高感度映像信号の出力が終了すると，フォトダイオード２０の副受光領域２２に蓄積された信号電荷（副信号電荷という）が垂直転送路２３にシフトされる。主信号電荷と同様に，副信号電荷は，垂直転送路２３内を垂直方向に転送させられ，水平転送路２４に与えられる。副信号電荷は，水平転送路２４内を水平方向に転送させられ，増幅回路２５を介して低感度映像信号としてＣＣＤ５から出力される。
【００３８】
主受光領域２１の受光面積は，副受光領域２２の受光面積の４倍であるから，同一の被写体を撮像した場合高感度映像信号のレベルは低感度映像信号のレベルの４倍となる。
【００３９】
図２は，ディジタル・スチル・カメラの電気的構成を示すブロック図である。
【００４０】
ディジタル・スチル・カメラの全体の動作は，ＣＰＵ２によって統括される。
【００４１】
ディジタル・スチル・カメラには，操作装置１が含まれている。この操作装置１には，シャッタ・レリーズ・ボタン，ダイナミック・レンジ調整ボリュウム，プレビュー・レック・ボタンなどの各種ボタンが含まれている。操作装置１からの出力信号は，ＣＰＵ２に入力する。ダイナミック・レンジ調整ボリュウムは，６段階の設定が可能であり，６種類のダイナミック・レンジを指定することができる。もちろん，さらに多くの種類の指定ができるようにしてもよいのはいうまでもない。
【００４２】
ディジタル・スチル・カメラには，被写体にストロボ光を照射するためのストロボ発光装置３が含まれている。
【００４３】
また，ディジタル・スチル・カメラには，各種クロック・パルス等を生成するためのタイミング・ジェネレータ４が含まれている。このタイミング・ジェネレータ４から出力されるクロック・パルス等は，ＣＣＤ５およびアナログ信号処理回路６に与えられる。
【００４４】
プレビュー・レック・ボタンにより，プレビュー・レック・モードが設定されると，次に述べるように，メモリ・カード１２に画像データが記録される前にメモリ８に画像データが一時的に記憶される。メモリ８に記憶されている画像データによって表される画像が表示装置１１の表示画面上に表示される。表示された画像を見ながら，ダイナミック・レンジ調整ボリュウムを用いて表示画面上に表示されている画像のダイナミック・レンジが調整される。その後，シャッタ・レリーズ・ボタンが押されることにより，メモリ８に一時的に記憶されていた画像データがメモリ・カード１２に記録される。
【００４５】
プレビュー・レック・モードが設定されると，ＣＣＤ５によって被写体が撮像され，上述のように，被写体像を表す高感度映像信号と低感度映像信号とが順に出力される。高感度映像信号および低感度映像信号は，それぞれ順にアナログ信号処理回路６に入力し，相関二重サンプリング処理およびアナログ／ディジタル変換処理が行われ，高感度画像データおよび低感度画像データが得られる。高感度画像データおよび低感度画像データは，ディジタル信号処理回路７を通過して，メモリ８に与えられ，一時的に記憶される。高感度画像データおよび低感度画像データは，メモリ８から読み出され，ディジタル信号処理回路７に入力し，所定の傷補正処理が行われる。傷補正処理が行われた高感度画像データおよび低感度画像データは，メモリ８に与えられ，再び記憶される。
【００４６】
高感度画像データおよび低感度画像データは，メモリ８から再び読み出され，ディジタル信号処理回路７に入力する。ディジタル信号処理回路７において，画像合成処理が行われ，合成画像を表す合成画像データが生成れる。この画像合成処理について詳しくは後述する。合成画像データは，表示装置１１に与えられ，表示画面上に合成画像が表示される。
【００４７】
表示装置１１の表示画面上に最初に表示される合成画像のダイナミック・レンジは，後述するように低感度画像データの緑成分の最大レベルにもとづいて決定される。その後，ユーザが操作装置１に含まれるダイナミック・レンジ調整ボリュウムを操作することにより，ダイナミック・レンジが変更された合成画像が表示装置１１の表示画面上に表示される。
【００４８】
プレビュー・レック・モードが設定されている場合に，シャッタ・レリーズ・ボタン（記録指令スイッチ）が押されると，表示装置１１の表示画面上に表示されている合成画像を表す画像データがメモリ８から圧縮回路９に与えられ，ＪＰＥＧ（ｊｏｉｎｔ  ｐｈｏｔｏｇｒａｐｈｉｃ  ｅｘｐｅｒｔｓ  ｇｒｏｕｐ）などにもとづくデータ圧縮が行われる。圧縮された合成画像データは，メモリ・カード・インターフェイス１０を介してメモリ・カード１２に与えられ，記録される。
【００４９】
図３から図６は，この実施例による画像データの合成の仕方を説明するためのグラフである。
【００５０】
この実施例による画像データの合成は，式１にもとづいて行われる。
【００５１】
ｄａｔａ＝［ｈｉｇｈ＋ＭＩＮ（ｈｉｇｈ／ｔｈ，１）×ｌｏｗ］×ＭＡＸ［ｌｇ（ｈｉｇｈ／ｔｈ）＋１，ｐ］・・・式１
【００５２】
ただし，ｈｉｇｈは後述するようにガンマ補正後の高感度画像データのレベルを示し，ｌｏｗは後述するようにガンマ補正後の低感度画像データのレベルを示し，ｔｈ，ｌｇおよびｐは，合成パラメータを示し，ＭＩＮ（ａ，ｂ）は，ａまたはｂのうちいずれか小さい方を採用することを示し，ＭＡＸ（ａ，ｂ）は，ａまたはｂのうちいずれか大きい方を採用することを示している。
【００５３】
図３は，ガンマ補正後の高感度画像データｈｉｇｈ，ガンマ補正後の低感度画像データｌｏｗおよび式１の第１項｛ｈｉｇｈ＋ＭＩＮ（ｈｉｇｈ／ｔｈ，１）×ｌｏｗ｝における相対的被写体輝度と画像データのレベルとの関係を示している。相対的被写体輝度とは，高感度画像データが飽和する時点のレベルを与える被写体輝度を１００％としたものである。画像データは，８ビットのものであり，十進数の表現では，画像データは，０から２５５の間の値となる。
【００５４】
高感度画像データｈｉｇｈは，相対被写体輝度が１００％となるまでの間は，相対被写体輝度が高くなるにつれて，そのレベルが徐々に高くなる。相対被写体輝度が１００％となると，高感度画像データｈｉｇｈのレベルは，「２５５」となり飽和する。相対被写体輝度が１００％を越えると飽和状態がつづき，高感度画像データのレベルは「２５５」が維持される。
【００５５】
低感度画像データｌｏｗは，副信号電荷にもとづいて得られるものである。上述したようにＣＣＤ５のフォトダイオード２０の副受光領域２２の受光面積は，主受光領域２１の受光面積の１／４である。このために，相対被写体輝度が４００％となったときに，低感度画像データｌｏｗのレベルは，「６３  」となり，飽和する。相対被写体輝度が４００％となるまでの間は，相対被写体輝度が高くなるにつれ，低感度画像データｌｏｗのレベルは高くなる。
【００５６】
式１の第１項は，高感度画像データｈｉｇｈと低感度画像データｌｏｗとの合成（加算）を表している。重み付け係数ＭＩＮ（ｈｉｇｈ／ｔｈ，１）が乗じられた低感度画像データｌｏｗと高感度画像データｈｉｇｈとが合成される。
【００５７】
図４は，重み付け係数を示すグラフである。
【００５８】
重み付け係数は，高感度画像データｈｉｇｈのレベルに依存する。高感度画像データｈｉｇｈが合成パラメータｔｈ（しきい値を示すパラメータである）までの間は，（１／ｔｈ）ｈｉｇｈにしたがって徐々に大きくなる。高感度画像データｈｉｇｈが合成パラメータｔｈの値以上となると，重み付け係数は１となる。
【００５９】
図３にもどって，合成パラメータｔｈに対応する相対被写体輝度Ｌｔｈまでは，（ｈｉｇｈ／ｔｈ）の重み付け係数が乗じられた低感度画像データｌｏｗが高感度画像データｈｉｇｈに加算されることにより画像データの合成が行われる。合成パラメータｔｈに対応する相対被写体輝度Ｌｔｈとなると，重み付け係数は１となり，高感度画像データｈｉｇｈと低感度画像データｌｏｗとが単純に加算される。
【００６０】
高感度画像データｈｉｇｈと低感度画像データｌｏｗとが加算されると，加算された画像データのレベルは「２５５」を超え，飽和することとなる。このために，式１の第２項によって，加算された画像データのレベルが「２５５」以下となるように抑圧処理が行われる。
【００６１】
図５は，式１の第２項の高感度画像データｈｉｇｈと合成パラメータｐとの関係を示すグラフである。
【００６２】
高感度画像データｈｉｇｈが合成パラメータｔｈになるまでの間は，抑圧率はｌｇ（ｈｉｇｈ／ｔｈ）＋１となる。この場合の抑圧率は合成パラメータｌｇにも依存することとなる。高感度画像データｈｉｇｈが高くなるにつれて，抑圧率は徐々に小さくなる。合成パラメータｌｇは，式２にもとづいて算出することができる。
【００６３】
ｌｇ＝［１−｛Ｓｈ／（Ｓｈ＋Ｓｌ）｝］・・・式２
【００６４】
ただし，Ｓｈは，主受光領域の面積を示し，Ｓｌは，副受光領域の面積を示している。実際には，Ｓｈは主受光領域の飽和量であり，Ｓｌは副受光領域の飽和量であるが，主受光領域の面積と副受光領域の面積とをそれぞれの飽和量と見なしている。
【００６５】
合成パラメータｌｇは，高感度画像データｈｉｇｈが合成パラメータｔｈ以上となると，抑圧率はｐ（ｐは，１未満であり，たとえば０．８）となる。
【００６６】
図６は，抑圧後の合成画像データを示している。
【００６７】
図３を参照して説明したように，高感度画像データｈｉｇｈと低感度画像データｌｏｗとが加算されると，加算後の画像データのレベルが「２５５」を超えることがあるために，抑圧処理が行われる。この抑圧処理は，相対被写体輝度がＬｔｈとなるまでは加算後の画像データが（１−ｌｇ・ｈｉｇｈ／ｔｈ）倍される。相対被写体輝度がＬｔｈ以上となるとｐ倍される。
【００６８】
上述したダイナミック・レンジ調整ボタンの調整量に応じて，合成パラメータｔｈおよびｐが変わる。合成パラメータｔｈおよびｐが変わることにより，合成画像データのダイナミック・レンジが変わることが理解されよう（後述する図１３参照）。たとえば，高感度画像データｈｉｇｈのみで画像を表現する場合のダイナミック・レンジを１００％とすると，図６においては，ダイナミック・レンジが４００％にまで広げられている。
【００６９】
この実施例においては，プレビュー・レック・モードが設定されたときに表示装置１１の表示画面に最初に表示される画像のダイナミック・レンジは，低感度画像データｌｏｗにもとづいて決定される。
【００７０】
図７は，低感度画像データｌｏｗによって表される低感度画像のメモリ上の配置を示している。図８は，図７の一部を拡大して示している。
【００７１】
低感度画像は図８に示すように，奇数行はＲ（赤）色の成分を示す画素（Ｒで示す）とＢ（青）色の成分を示す画素（Ｂで示す）とが交互に現れ，偶数行はＧ（緑）色の成分を示す画素が現れるように，メモリ（後述するように積算回路内のメモリ）上に画像データが配置される。
【００７２】
一例として，水平方向１４１６画素垂直方向２１２８画素の画像２６が得られる。この画像２６のうち，上下のそれぞれ１０４画素，両端部のそれぞれの６８画素を除いた水平方向１２８０画素垂直方向１９２０画素からなる領域２７が積算領域として設定される。
【００７３】
積算領域２７が，水平方向８０画素垂直方向１２０画素からなるブロックＢｒに分割される。積算領域２７内は，水平方向１６個垂直方向１６個の合計２５６個のブロックＢｒに分割される。
【００７４】
それぞれのブロックＢｒごとに緑色成分の平均が算出される。算出された平均値のうち，最大値Ｇｍａｘを用いて初期画像のダイナミック・レンジＤｉが算出される。初期画像のダイナミック・レンジＤｉは，式３にもとづいて算出される。
【００７５】
Ｄｉ＝（Ｇｍａｘ×４００［％］／４０９５）×１．２５［％］・・・式３
【００７６】
式３は，Ｇｍａｘが低感度画像データｌｏｗの最大値４０９５であったときに，最大のダイナミック・レンジである４００％となるように初期画像のダイナミック・レンジＤｉが決定されるものである。また，式３において「１．２５」が乗じられているのは，後述するように，ホワイト・バランス／ゲイン回路において低感度画像データｌｏｗが１．２５倍されるのに対して，積算回路における積算処理に使用される低感度画像データｌｏｗは１．２５倍される前のものが用いられるからである。
【００７７】
図９は，ディジタル信号処理回路７に含まれる画像データ合成回路の電気的構成を示すブロック図である。
【００７８】
式１は，式４のように書き換えることができる。
【００７９】
2004221928.tif 000003
【００８０】
式４において，第１項のＭＡＸ［−ｌｇ（ｈｉｇｈ／ｔｈ）＋１，ｐ］をｈｇａｉｎと置き換え，第２項のＭＡＸ［−ｌｇ（ｈｉｇｈ／ｔｈ）＋１，ｐ］×ＭＩＮ（ｈｉｇｈ／ｔｈ，１）をｌｇａｉｎと置き換えると，式４はさらに，式５によって表される。
【００８１】
ｄａｔａ＝ｈｇａｉｎ×ｈｉｇｈ＋ｌｇａｉｎ×ｌｏｗ・・・式５
【００８２】
図９に示す画像データ合成回路は，式５にしたがって画像合成をするものである。
【００８３】
上述のように，メモリ８に記憶されている高感度画像データ（Ｈ）および低感度画像データ（Ｌ）が読み取られ，画像合成回路に入力する。高感度画像データＨおよび低感度画像データＬは，それぞれオフセット処理回路３１および４１においてそれぞれオフセット処理が行われる。オフセット処理回路３１および４１からそれぞれ出力された高感度ＲＡＷ画像データおよび低感度ＲＡＷ画像データは，リニア・マトリクス回路３２および４２においてＣＣＤ５の分光特性を補正する色調補正処理が行われる。また，この実施例においては，高感度ＲＡＷ画像データおよび低感度ＲＡＷ画像データをメモリ・カード１２に記録することもできる。このためにオフセット処理回路３１および４１から出力される高感度ＲＡＷ画像データおよび低感度ＲＡＷ画像データは，メモリ・カード１２にも与えられる。
【００８４】
リニア・マトリクス回路３２および４２から出力された高感度画像データおよび低感度画像データは，ホワイト・バランス／ゲイン調整回路３３および４３にそれぞれ与えられ，レベルが１．２５倍となるようにゲイン調整処理が行われ，かつ白バランス調整が行われる。ホワイト・バランス／ゲイン調整回路３３および４３から出力された高感度画像データおよび低感度画像データは，それぞれガンマ補正回路３４および４４に与えられる。
【００８５】
低感度画像データ用のリニア・マトリクス回路４２から出力された低感度画像データは，積算回路５１にも与えられる。積算回路５１において，上述したように，ブロック分割処理，緑成分の平均値算出処理，緑成分の最大値Ｇｍａｘ算出処理等が行われる。算出された緑成分の最大値Ｇｍａｘを表すデータは，Ｄレンジ算出回路５２に与えられる。Ｄレンジ算出回路５２において，上述したように初期画像のダイナミック・レンジＤｉが算出される。
【００８６】
Ｄレンジ算出回路５２には，メモリ（図示略）も内蔵されており，そのメモリ内に図１１に示すパラメータ等決定テーブルを示すデータが格納されている。
【００８７】
図１１を参照して，ダイナミック・レンジ調整ボリュウムは，上述したようにｖ０からｖ５までの６個の位置に位置決めできる。ボリュウムの位置ｖ０からｖ５に対応して，ダイナミック・レンジＤ０からＤ５，低感度画像データ用のガンマ補正回路４４のガンマ係数γ０またはγ１，上述した合成パラメータｐおよびｔｈならびに後述する色差マトリクス回路５６における色差補正ゲインＣｒおよびＣｂが決定するようにテーブルに各データが格納されている。
【００８８】
図１２は，低感度画像データ用のγ補正回路４４に適用されるガンマ補正係数によって表されるガンマ曲線を示している。
【００８９】
後述するように，ダイナミック・レンジが広くされた場合に，ダイナミック・レンジを示す曲線がダイナミック・レンジの割合に応じて均等とならないことが多い。ダイナミック・レンジを示す曲線がダイナミック・レンジの割合に応じて均等になるように，決定されるダイナミック・レンジに応じてガンマ係数が決定される。決定されたダイナミック・レンジが狭いほど隣接するダイナミック・レンジを示す曲線同士が近づくので，急峻の特性を有するガンマ曲線を表すガンマ補正係数γ０が選択される。
【００９０】
上述のように，初期画像のダイナミック・レンジＤｉが，テーブルに格納されているダイナミック・レンジＤ０からＤ５のうち対応するものが見つけられる。ダイナミック・レンジＤ０からＤ５のうち対応するダイナミック・レンジにもとづいて，低感度γ，合成パラメータｐおよびｔｈならびに色差補正ゲインＣｒおよびＣｂが見つけられる。見つけられた低感度γを示すデータは，低感度用画像データ用のγ補正回路４４に，合成パラメータｐおよびｔｈをそれぞれ示すデータは，ＬＵＴ（ルックアップ・テーブル）３５に，色差補正ゲインＣｒおよびＣｂをそれぞれ示すデータは，色差マトリクス回路５６にそれぞれ与えられる。また，これらのパラメータ等はメモリ・カードに与えられ，記録される。
【００９１】
高感度画像データ用ガンマ補正回路３４から出力された高感度画像データｈｉｇｈは，ＬＵＴ３５および第１の乗算回路３６に与えられ，低感度画像データ用ガンマ補正回路４４から出力された低感度画像データｌｏｗは，第２の乗算回路４６に与えられる。
【００９２】
ＬＵＴ３５において，Ｄレンジ算出回路５２から与えられた合成パラメータｐおよびｔｈにもとづいて上述した高感度画像データｈｉｇｈの係数ｈｇａｉｎおよび低感度画像データｌｏｗの係数ｌｇａｉｎが得られる（合成パラメータｌｇはこの実施例ではたとえば−０．２と固定される）。係数ｈｇａｉｎは，第１の乗算回路３６に，係数ｌｇａｉｎは，第２の乗算回路４６にそれぞれ与えられる。第１の乗算回路３６において高感度画像データｈｉｇｈに係数ｈｇａｉｎが乗じられ（ｈｉｇｈ×ｈｇａｉｎ），第２の乗算回路４６において低感度画像データｌｏｗに係数ｌｇａｉｎが乗じられる（ｌｏｗ×ｌｇａｉｎ）。
【００９３】
第１の乗算回路３６から出力されたデータ（ｈｉｇｈ×ｈｇａｉｎ）および第２の乗算回路４６から出力されたデータ（ｌｏｗ×ｌｇａｉｎ）が加算されて上述した式５により表され，初期画像のダイナミック・レンジＤｉをもつ合成画像データｄａｔａが得られる。
【００９４】
合成画像データは，リミッタ５４において振幅が制限されてＹ／Ｃ処理回路５５において合成輝度データおよび合成色差データが生成される。生成された合成輝度データおよび合成色差データは，色差マトリクス回路５６において，Ｄレンジ算出回路５２から与えられた色差ゲイン補正ＣｒおよびＣｂに基準のゲインが乗じられて合成色差データが補正される。色差マトリクス回路５６においては，ダイナミック・レンジが広がるほど色差ゲイン補正値が大きくなっている。
【００９５】
色差マトリクス回路５６から出力された合成輝度データおよび合成色差データがメモリ８に与えられ，一時的に記憶される。合成輝度データおよび合成色差データがメモリ８から読み出され，表示装置１１に与えられる。初期画像のダイナミック・レンジＤｉをもつ初期画像が表示装置１１の表示画面上に表示される。
【００９６】
図１０は，表示装置１１の表示画面上に表示される初期画像の一例である。
【００９７】
表示装置１１の表示画面６０には，上述のようにして初期のダイナミック・レンジＤｉをもつ合成画像６１が表示されている。また，表示画面６０の右上には，拡大画像表示領域６２が形成されている。この拡大画像表示領域６２は，上述した緑成分の最大値Ｇｍａｘ（最大値Ｇｍａｘをもつブロックが符号６３で示されている。）近傍の画像の拡大画像を表示する領域である。拡大画像の生成処理は，ＣＰＵ２によって行われるのはいうまでもない。
【００９８】
緑成分の最大値Ｇｍａｘ近傍の画像の拡大画像６２が表示されるので，合成画像が飽和しているかどうかを比較的簡単に確認できる。
【００９９】
この実施例によるディジタル・スチル・カメラは，上述のようにダイナミック・レンジ調整ボリュウムを用いてユーザの所望のダイナミック・レンジを設定することができる。
【０１００】
操作装置１に含まれているダイナミック・レンジ調整ボリュウムのボリュウム位置を示す信号はＣＰＵ２を介してディジタル信号処理回路７に与えられ，Ｄレンジ算出回路５２に入力する。図１１に示すように，ダイナミック・レンジ調整ボリュウムの位置に応じてダイナミック・レンジ，低感度γ，合成パラメータｐおよびｔｈならびに色差補正ゲインＣｒおよびＣｂが決定される。
【０１０１】
上述したように，決定した低感度γを表すデータが低感度画像データ用γ補正回路４４に与えられ，合成パラメータｐおよびｔｈを表すデータがＬＵＴ３５に与えられ，色差補正ゲインＣｒおよびＣｂを表すデータが色差マトリクス回路５６に与えられる。上述したのと同様に，ダイナミック・レンジ調整ボリュウムの位置に応じたダイナミック・レンジをもつ合成画像が表示装置１１の表示画面上に表示されることが理解されよう。
【０１０２】
図１３は，合成画像データのレベルを相対的被写体輝度との関係を示している。
【０１０３】
上述のようにダイナミック・レンジ調整ボリュウムの位置ｖ０〜ｖ５に応じて，合成画像データのダイナミック・レンジがＤ０〜Ｄ５（相対的被写体輝度では１００％から４００％）に変わる
【０１０４】
所望のダイナミック・レンジをもつ合成画像が得られると，ユーザによってシャッタ・レリーズ・ボタンが押される。表示装置１１の表示画面上に表示されている合成画像を表す合成画像データがメモリ・カード１２に記録されることとなる。
【０１０５】
図１４および図１５は，ディジタル・スチル・カメラの処理手順を示すフローチャートである。
【０１０６】
プレビュー・レック・スイッチによりプレビュー・レック・モードが設定されると，被写体が撮像され（ステップ７１），被写体像を表す高感度画像データおよび低感度画像データ（画像データ合成回路に入力する前のそれぞれの画像データ）がメモリ８に与えられ，一時的に記憶される（ステップ７２）。
【０１０７】
ディジタル・スチル・カメラに設定可能なダイナミック・レンジの最大値Ｄｍａｘが読み取られ（ステップ７３）（Ｄレンジ算出回路５２内のメモリに格納されている），上述のように緑成分の最大値Ｇｍａｘが算出される（ステップ７４）。すると，初期のダイナミック・レンジＤｉが決定される（ステップ７５）。決定されたダイナミック・レンジＤｉを与える合成パラメータｐおよびｔｈが決定される（ステップ７６）。決定されたパラメータｐおよびｔｈを用いて画像データが合成される（ステップ７７）。得られた合成画像データが表示装置１１に与えられることにより，上述したように表示装置１１の表示画面上に初期のダイナミック・レンジＤｉをもつ画像が表示される（ステップ７８）。上述したように，最大の緑成分Ｇｍａｘを表す画像近傍が拡大されて表示されるのはいうまでもない。
【０１０８】
ダイナミック・レンジ調整ボリュウムを用いてダイナミック・レンジの調整が行われずに（ステップ７９でＮＯ），シャッタ・レリーズ・ボタンが押されると（ステップ８０でＹＥＳ），合成画像データがメモリ・カードに記録される（ステップ８１）。
【０１０９】
ユーザによってダイナミック・レンジ調整ボリュウムが操作されると（ステップＹＥＳ），操作位置によって特定されるダイナミック・レンジが設定可能な最大のダイナミック・レンジＤｍａｘ超えてしまったかどうかが確認される（ステップ８２）。超えていたら（ステップ８２でＹＥＳ），最大のダイナミック・レンジＤｍａｘに制限される（ステップ８３）。ダイナミック・レンジ調整ボリュウムの位置に応じて，ダイナミック・レンジ決定処理（ステップ７５），合成パラメータｐおよびｔｈの算出処理（ステップ７６），画像データ合成処理（ステップ７７）が行われ，合成画像が表示される（ステップ７８）。シャッタ・レリーズ・ボタンが押されることにより，合成画像データがメモリ・カードに記録される（ステップ８１）。
【０１１０】
図１６から図２０は，他の実施例を示すものである。上述した実施例は，被写体を撮像して得られた合成画像データをメモリ・カードに記録する前に，所望のダイナミック・レンジとなるように調整し，ダイナミック・レンジ調整後の合成画像データをメモリ・カードに記録している。これに対して，次に述べる実施例は，ダイナミック・レンジを調整する前に，高感度画像データおよび低感度画像データをメモリ・カードに記録し，メモリ・カードに記録された高感度画像データおよび低感度画像データを読み出して所望のダイナミック・レンジをもつ合成画像データを生成するものである。
【０１１１】
図１６は，メモリ・カードのデータ構造（ファイル構造）を示している。
【０１１２】
メモリ・カードの記録領域には，Ｅｘｉｆ（ｅｘｃｈａｎｇｅｂｌｅ    ｉｍａｇｅ  ｆｉｌｅ  ｆｏｒｍａｔ）記録領域，高感度画像データ用パラメータ記録領域，低感度画像データ用パラメータ記録領域，高感度ＲＡＷ画像データ記録領域および低感度ＲＡＷ画像データ記録領域が含まれている。
【０１１３】
Ｅｘｉｆ記録領域には，ディジタル・スチル・カメラを用いて撮像されたときの撮影情報（シャッタ速度，絞り値，撮影日など）などを表すデータが記録される。
【０１１４】
高感度画像データ用パラメータ記録領域には，上述したように初期画像のダイナミック・レンジＤｉを決定するために必要なＬＭＴＸ値，ＷＢゲイン値，Ｄｉ，Ｄｍａｘ，ハイライト位置情報などのパラメータ等が記録される。ＬＭＴＸ値は，リニア・マトリクス回路３２における色調補正を行うために用いられるパラメータである。ＷＢゲイン値は，ＷＢ／ゲイン回路３３において行われるゲイン調整において用いられるゲイン値を示すものである。Ｄｉは，上述したように初期のダイナミック・レンジである。Ｄｍａｘは，上述したように設定可能なダイナミック・レンジの最大値である。ハイライト位置情報は，最大値Ｇｍａｘを与える位置を示す情報である。
【０１１５】
低感度画像データ用パラメータ記録領域にも，高感度画像データ用パラメータ記録領域に記録されているパラメータ等と同様のパラメータが記録されている。
【０１１６】
高感度ＲＡＷ画像データ記録領域および低感度ＲＡＷ画像データ記録領域には，それぞれオフセット調整が行われた後の高感度画像データおよび低感度画像データが記録されている。
【０１１７】
図１７は，画像合成装置の電気的構成を示すブロック図である。図１７において，図９に示す回路と同一の回路については同一の符号を付して説明を省略する。
【０１１８】
画像合成装置の全体の動作は，制御装置９７によって統括される。
【０１１９】
画像合成装置には，ＣＤドライブ９６が含まれている。ＣＤ−ＲＯＭ（コンパクト・ディスク−リード・オンリ・メモリ）９５に，後述する動作を行わせるためのプログラムが格納されており，ＣＤ−Ｒ０Ｍ９５に格納されているプログラムがＣＤドライブ９６によって読み取られ，制御装置９７にインストールされる。
【０１２０】
図１６に示すデータ構造をもつメモリ・カード９１が画像合成装置に装填され，インターフェイス９２に接続される。インターフェイス９２によって，メモリ・カード９１に記録されている高感度ＲＡＷ画像データ，低感度ＲＡＷ画像データおよびパラメータが読み取られる。高感度ＲＡＷ画像データは第１のリニア・マトリクス回路３２に，低感度ＲＡＷ画像データは第２のリニア・マトリクス回路４２に，パラメータ等は，Ｄレンジ算出回路９４にそれぞれ与えられる。
【０１２１】
Ｄレンジ算出回路９４には，図１８に示すパラメータ・テーブルが格納されている。
【０１２２】
バラメータ・テーブルには，上述した合成パラメータｐ，ｔｈおよびｌｇ（ｌｇは固定でもよい），副ガンマならびに色差ゲイン補正値がＤレンジ・パラメータに対応して格納されている。また，対応するダイナミック・レンジ（Ｄレンジ）もパラメータ・テーブルに格納されている。
【０１２３】
メモリ・カード９１から与えられたパラメータ等のうち，初期のダイナミック・レンジＤｉに対応する副ガンマ補正係数，パラメータｐ，ｔｈおよびｌｇならびに色差ゲイン補正値が読み取られる。読み取られた副ガンマ補正係数は，低感度用ガンマ補正回路４４に与えられ，読み取られたパラメータｐ，ｔｈおよびｌｇは，ＬＵＴ３５に与えられ，読み取られた色差ゲイン補正値は色差マトリクス回路５６に与えられる。読み取られた副ガンマ補正係数にもとづくガンマ補正が低感度画像データに対して行われ，初期のダイナミック・レンジＤｉをもつ合成画像データが生成されることが理解されよう。また，色差マトリクス回路５６においても初期のダイナミック・レンジＤｉに対応した彩度補正処理が実行されることとなる。
【０１２４】
画像合成装置においても合成画像をユーザの所望のダイナミック・レンジをもつように調整することができる。このために，画像合成装置には，設定装置９３が設けられている。設定装置９３には，キーボード，マウスなどが含まれている。また，画像合成装置には，表示装置（図示略）も含まれており，その表示装置の表示画面上に，図２０に示すダイナミック・レンジ設定ウインドウ１００が表示される。
【０１２５】
図２０を参照して，ダイナミック・レンジ設定ウインドウ１００には，ダイナミック・レンジ設定領域１０１と指令入力領域１０５とが含まれている。
【０１２６】
ダイナミック・レンジ設定領域１０１には，Ｄレンジ・パラメータ軸１０２が形成されている。このＤレンジ・パラメータ軸１０２には，設定可能なＤレンジ・パラメータが表示されている。図２０に示す例では，「０」から「Ｐｉ」までのＤレンジ・パラメータが設定可能である。最大のＤレンジ・パラメータは「Ｐｉ」であるから，設定可能なダイナミック・レンジは，最大４００％となる。設定可能なダイナミック・レンジが変われば，Ｄレンジ・パラメータ軸１０２の最大値もその設定可能なダイナミック・レンジに対応して変わることとなる。
【０１２７】
Ｄレンジ・パラメータ軸１０２の下には，スライダ１０３が軸１０２に沿って移動自在に表示されている。スライダ１０３はマウスを用いて移動させることができる。このスライダ１０３の位置がユーザによって指定されたＤレンジ・パラメータとなる。すなわち，ユーザによってダイナミック・レンジが指定されることとなる。
【０１２８】
Ｄレンジ・パラメータ軸１０２の右上には，Ｄレンジ・パラメータ入力領域１０４が形成されている。この入力領域１０４に，マウスを用いてカーソル（図示略）を合わせて選択状態とすることにより，キーボードを用いてＤレンジ・パラメータ入力することができる。入力可能なＤレンジ・パラメータは最大のＤレンジ・パラメータＤｍａｘなのはいうまでもない。もっとも，最大のＤレンジ・パラメータＤｍａｘ以上のＤレンジ・パラメータを入力可能とし，最大のＤレンジ・パラメータＤｍａｘ以上のＤレンジが入力された場合には警告するようにしてもよい。
【０１２９】
指令入力領域１０５には，ＯＫ領域１０６，キャンセル領域１０７およびチェック・ボックス１０８が含まれている。ＯＫ領域１０６は，設定されたＤレンジ・パラメータで良いときにユーザによってクリックされる。キャンセル領域１０７がクリックされることにより，設定されたＤレンジ・パラメータがリセットされる。チェック・ボックス１０８は，合成画像データをメモリ・カード９１に記録する前に，設定されたダイナミック・レンジをもつ合成画像を表示装置の表示画面上に表示する場合にユーザによってチェックされる。設定されたダイナミック・レンジ・レンジをもつ合成画像データをメモリ・カード９１に記録する場合には，チェック・ボックス１０８のチェックが外された後にＯＫ領域１０６がクリックされる。
【０１３０】
図２０に示すダイナミック・レンジ設定ウインドウ１００を用いて設定されたＤレンジ・パラメータは，Ｄレンジ算出回路９４に与えられ，設定されたＤレンジに対応するダイナミック・レンジをもつ合成画像を表す合成画像データが生成されるのこととなる。
【０１３１】
図２１は，画像合成装置の処理手順の一部を示すフローチャートであり，図１５に対応するものである。
【０１３２】
上述したように，メモリ・カード９１が画像合成装置に装填されると，メモリ・カード９１に格納されている高感度ＲＡＷ画像データ，低感度ＲＡＷ画像データおよびパラメータ等が読み取られる（ステップ７５）。読み取られたパラメータ等に含まれる初期のＤレンジＤｉから合成パラメータが決定する（ステップ７５，７６）。決定した合成パラメータを用い高感度画像データと低感度画像データとから合成画像データが生成される（ステップ７７）。その後の処理は，上述したものと同様であり，図２０に示したダイナミック・レンジ設定ウインドウ１００をＤレンジ・パラメータが設定されると，設定されたＤレンジ・パラメータに対応するダイナミック・レンジをもつ合成画像が得られることとなる。
【０１３３】
上述した実施例においては，ハードウエア回路により構成されているがソフトウエアにより実現するようにしてもよい。
【０１３４】
上述した実施例においては，フォトダイオード２０の主受光領域２１に蓄積された信号電荷にもとづいて高感度映像信号を得，フォトダイオード２０の副受光領域２２に蓄積された信号電荷にもとづいて低感度映像信号を得ているが，露出量を変えて同一の被写体を２回撮像することにより高感度映像信号と低感度映像信号とを得るようにしてもよい。
【図面の簡単な説明】
【図１】ＣＣＤの模式図である。
【図２】ディジタル・スチル・カメラの電気的構成を示すブロック図である。
【図３】相対被写体輝度と画像データとの関係を示している。
【図４】低感度画像データの重み係数を表している。
【図５】合成画像データの抑圧率を表している。
【図６】抑圧された合成画像データと相対被写体輝度との関係を示している。
【図７】メモリ上における画像の様子を示している。
【図８】図７の一部拡大図である。
【図９】画像合成回路の電気的構成を示すブロック図である。
【図１０】表示画面上に表示される画像の一例である。
【図１１】合成パラメータ・テーブルを示している。
【図１２】ガンマ補正曲線を示している。
【図１３】相対被写体輝度と合成画像データとの関係を示している。
【図１４】ディジタル・スチル・カメラの処理手順の一部を示すフローチャートである。
【図１５】ディジタル・スチル・カメラの処理手順の一部を示すフローチャートである。
【図１６】メモリ・カードのデータ構造を示している。
【図１７】画像合成装置の電気的構成を示すブロック図である。
【図１８】合成パラメータ・テーブルを示している。
【図１９】ダイナミック・レンジ設定ウインドウである。
【図２０】画像合成装置の処理手順の一部を示すフローチャートである。
【符号の説明】
１  操作装置
２  ＣＰＵ
５  ＣＣＤ
７  ディジタル信号処理回路
８  メモリ
１０，９２  メモリ・カード・インターフェイス
１１  表示装置
１２，９１  メモリ・カード
２０  フォトダイオード
２１  主受光領域
２２  副受光領域
３４，４４  ガンマ補正回路
３５  ＬＵＴ
３６，４６  乗算回路
５３  加算回路
５１  積算回路
５２，９４  Ｄレンジ算出回路
５６  色差マトリクス回路
６１  合成画像
６２  拡大画像
９３  設定装置
９５  ＣＤ−ＲＯＭ
９７  制御装置
１００    ダイナミック・レンジ設定ウインドウ
１０２    Ｄレンジ・パラメータ軸
【図１】
2004221928.tif 000004
【図２】
2004221928.tif 000005
【図３】
2004221928.tif 000006
【図４】
2004221928.tif 000007
【図５】
2004221928.tif 000008
【図６】
2004221928.tif 000009
【図７】
2004221928.tif 000010
【図８】
2004221928.tif 000011
【図９】
2004221928.tif 000012
【図１０】
2004221928.tif 000013
【図１１】
2004221928.tif 000014
【図１２】
2004221928.tif 000015
【図１３】
2004221928.tif 000016
【図１４】
2004221928.tif 000017
【図１５】
2004221928.tif 000018
【図１６】
2004221928.tif 000019
【図１７】
2004221928.tif 000020
【図１８】
2004221928.tif 000021
【図１９】
2004221928.tif 000022
【図２０】
2004221928.tif 000023